(57)【特許請求の範囲】
【請求項１】
光伝送路の端部を収容するハウジングと、
前記光伝送路から出力される光信号を反射する反射部を有し、前記ハウジング内で開閉可能なシャッターと、
前記ハウジングよりも耐熱性が高く、前記反射部に反射された前記光信号が照射される光吸収部材と
を備え、
前記光吸収部材は、ハウジングに接触するように取り付けられており、
前記シャッターは、前記反射部を開閉させる変形部と、前記反射部を固定する固定部とを有し、
前記固定部が前記ハウジングに接触しないように前記固定部が前記光吸収部材に固定されることによって、前記シャッターが前記ハウジング内に固定され、
前記光吸収部材は、前記固定部を覆うように配置されている
ことを特徴とする光コネクタ部品。
【請求項２】
請求項１に記載の光コネクタ部品であって、
前記光吸収部材は、前記固定部を収容する収容部を有しており、
前記ハウジングは、前記固定部を前記収容部に収容した状態で前記光吸収部材を取り付け可能である
ことを特徴とする光コネクタ部品。
【請求項３】
請求項１又は２に記載の光コネクタ部品であって、
前記ハウジングは、前記光吸収部材を着脱可能である
ことを特徴とする光コネクタ部品。
【請求項４】
請求項１〜３の何れかに記載の光コネクタ部品であって、
前記ハウジングは、一方側にレセプタクル側光コネクタを収容しつつ、他方側にプラグ側光コネクタを着脱可能なレセプタクルである
ことを特徴とする光コネクタ部品。
【請求項５】
請求項１〜４の何れかに記載の光コネクタ部品であって、
前記ハウジングは、両側から光コネクタを着脱可能なアダプタである
ことを特徴とする光コネクタ部品。
【発明の詳細な説明】
【技術分野】
【０００１】
本発明は、光コネクタ部品に関する。
【背景技術】
【０００２】
光伝送路（例えば光ファイバ）の端部から出射される光信号は人体（特に目）に影響を与えるおそれがある。そこで、光伝送路の端部を収容するハウジングと、ハウジング内に設けられたシャッターとを備え、シャッターによって光信号を遮蔽・反射させて、外部に光信号が漏れないようにした光コネクタ部品が提案されている（例えば、特許文献１参照）。
【先行技術文献】
【特許文献】
【０００３】
【特許文献１】特開２００４−９４１０９号公報
【発明の概要】
【発明が解決しようとする課題】
【０００４】
特許文献１記載のシャッターでは、反射光を拡散させているものの、反射光が照射される部位（ハウジング）は高熱になり、溶けるおそれがある。
【０００５】
本発明は、ハウジングが反射光で溶けてしまうことを抑制することを目的とする。
【課題を解決するための手段】
【０００６】
上記目的を達成するための主たる発明は、光伝送路の端部を収容するハウジングと、前記光伝送路から出力される光信号を反射する反射部を有し、前記ハウジング内で開閉可能なシャッターと、前記ハウジングよりも耐熱性が高く、前記反射部に反射された前記光信号が照射される光吸収部材とを備え、前記光吸収部材は、ハウジングに接触するように取り付けられており、前記シャッターは、前記反射部を開閉させる変形部と、前記反射部を固定する固定部とを有し、前記固定部が前記ハウジングに接触しないように前記固定部が前記光吸収部材に固定されることによって、前記シャッターが前記ハウジング内に固定され、前記光吸収部材は、前記固定部を覆うように配置されていることを特徴とする光コネクタ部品である。
【０００７】
本発明の他の特徴については、後述する明細書及び図面の記載により明らかにする。
【発明の効果】
【０００８】
本発明によれば、ハウジングが反射光で溶けてしまうことを抑制できる。
【図面の簡単な説明】
【０００９】
【図１】第１実施形態の光コネクタ部品１とプラグ側光コネクタ１００を上から見た斜視図である。
【図２】光コネクタ部品１の断面図である。
【図３】は光コネクタ部品１の構成を示す分解図である。
【図４】図４Ａ及び図４Ｂは、光コネクタ部品１の組み立てについての説明図である。
【図５】実施例の評価結果の説明図である。
【図６】第２実施形態の光コネクタ部品１´を示す説明図である。
【図７】第２実施形態の光コネクタ部品１´の構成の説明図である。
【発明を実施するための形態】
【００１０】
後述する明細書及び図面の記載から、少なくとも以下の事項が明らかとなる。
【００１１】
光伝送路の端部を収容するハウジングと、前記光伝送路から出力される光信号を反射する反射部を有し、前記ハウジング内で開閉可能なシャッターと、前記ハウジングよりも耐熱性が高く、前記反射部に反射された前記光信号が照射される光吸収部材とを備えた光コネクタ部品が明らかとなる。
このような光コネクタ部品によれば、反射光が光吸収部材に照射されるので、ハウジングが反射光で溶けてしまうことを抑制できる。
【００１２】
前記シャッターは、前記反射部を開閉させる変形部と、前記反射部を固定する固定部とを有し、前記光吸収部材は、前記固定部を覆うように配置されていることが望ましい。これにより、光コネクタの着脱の繰り替えしによって、変形部が徐々に変形しても反射光を吸収し続けることができる。また、固定部の長さを長くできシャッターを固定しやすくできる。
【００１３】
前記光吸収部材は、前記固定部を収容する収容部を有しており、前記ハウジングは、前記固定部を前記収容部に収容した状態で前記光吸収部材を取り付け可能であることが望ましい。これにより、狭いハウジング内での取り付け作業が１回で済む。
【００１４】
前記収容部に収容された前記固定部は、前記ハウジングの内壁面と非接触であることが望ましい。これにより、光吸収部材が高熱になったとき、ハウジングへの伝熱を抑制しながら、シャッターにて放熱しやすくなる。
【００１５】
前記ハウジングは、前記光吸収部材を着脱可能であることが望ましい。これにより、光吸収部材が反射光によって劣化しても、劣化した光吸収部材を交換できる。
【００１６】
前記ハウジングは、一方側にレセプタクル側光コネクタを収容しつつ、他方側にプラグ側光コネクタを着脱可能なレセプタクルであってもよい。
【００１７】
前記ハウジングは、両側から光コネクタを着脱可能なアダプタであってもよい。
【００１８】
＝＝＝第１実施形態＝＝＝
図１は、第１実施形態の光コネクタ部品１とプラグ側光コネクタ１００を上から見た斜視図である。また、図２は光コネクタ部品１の断面図であり、図３は光コネクタ部品１の構成を示す分解図である。また、図４Ａ及び図４Ｂは、光コネクタ部品１の組み立てについての説明図である。
【００１９】
以下の説明では、図に示すように、各方向を定義する。すなわち、光コネクタ部品１に対するプラグ側光コネクタ１００の着脱方向を「前後方向」とし、光コネクタ部品１においてプラグ側光コネクタ１００と対向する側を「前」とし、逆側を「後」とする。また、プラグ側光コネクタ１００の幅方向（複数の光ファイバの並ぶ方向）を「左右方向」とする。また、前後方向及び左右方向に垂直な方向を「上下方向」とする。
【００２０】
第１実施形態の光コネクタ部品１は、プラグ側光コネクタ１００を着脱可能な光コネクタ付きレセプタクルである。第１実施形態の光コネクタ部品１は、ハウジング（レセプタクル）１０と、メタルクリップ１８と、レセプタクル側光コネクタ２０と、シャッター３０と、吸収プレート４０（光吸収部材に相当）とを備えている。
【００２１】
ハウジング１０は、筒状の部材であり、光伝送路となる光コネクタの端部を収容するものである。ハウジング１０の後側には、レセプタクル側光コネクタ２０（後述）を収容する収容部が設けられており、前側にはプラグ側光コネクタ１００（ＭＰＯコネクタ）を着脱可能に収容する収容部が設けられている。プラグ側光コネクタ１００の収容部には、シャッター３０（後述）及び吸収プレート４０（後述）が収容されている。また、ハウジング１０には、係合穴１２とレール部１４（後述）が設けられている。係合穴１２は、吸収プレート４０のラッチ部４６と係合する部位（穴）であり、ハウジング１０の上面に設けられている。
【００２２】
メタルクリップ１８は、ハウジング１０を不図示の基板に取り付けるためのものである。また、メタルクリップ１８は、ハウジング１０の係合穴１２上に配置されて、青色の吸収プレート４０（ラッチ部４６）を覆う（隠す）機能も有している。
【００２３】
レセプタクル側光コネクタ２０は、フェルール２２と、ガイドピン２３と、ブーツ２４と、フローティング機構２５とを備えている。
【００２４】
フェルール２２は、光伝送路となる光ファイバの端部を保持する部材であり、樹脂により一体成形されている。フェルール２２の前側の端面は、相手方の光コネクタ（ここでは、プラグ側光コネクタ１００）と接続する接続端面となる。フェルール２２は、本体部２２Ａと、鍔部２２Ｂとを備えている。また、本体部２２Ａには２つのガイド穴２２Ｃと、複数の光ファイバ穴２２Ｄが設けられている。本体部２２Ａの内部において、複数の光ファイバの端部が保持されることになる。
【００２５】
鍔部２２Ｂは、本体部２２Ａの外周面から外側に突出しており、ハウジング１０の内壁に形成された突起物に接触（当接）する。
【００２６】
ガイド穴２２Ｃは、ガイドピン２３を挿入するための穴である。ガイド穴２２Ｃは、本体部２２Ａを前後方向に貫通しており、フェルール２２の前側端面には、２つのガイド穴２２Ｃが開口している。２つのガイド穴２２Ｃは、複数の光ファイバ穴２２Ｄを左右から挟むように、左右方向に間隔を空けて形成されている。
【００２７】
光ファイバ穴２２Ｄは光ファイバを挿入して位置決めする穴である。光ファイバ穴２２Ｄには、光ファイバ心線から被覆を除去した裸ファイバが挿入されることになる。また、光ファイバ穴２２Ｄは左右方向に複数並んでおり、各光ファイバ穴２２Ｄは前後方向に平行である。つまり、互いに平行な複数の光ファイバ穴２２Ｄが左右方向に並ぶことになる。また、フェルール２２の前側端面には、各光ファイバ穴２２Ｄから光ファイバ端面が露出する。
【００２８】
ガイドピン２３は、フェルール２２と、相手側（ここではプラグ側光コネクタ１００）のフェルールとを位置決めするものである。ガイドピン２３は、フェルール２２のガイド穴２２Ｃに挿入されて、フェルール２２の本体部２２Ａを前後方向に貫通している。また、図２に示すように、ガイドピン２３の先端（前側端）は、フェルール２２の前側端面から突出している。
【００２９】
ブーツ２４は、光ファイバの曲がりを緩やかにするための部材である。ブーツ２４は、例えばゴムやエラストマー等の可撓性を有する材料で構成することが好ましいが、樹脂や金属等の可撓性の低い材料で構成してもよい。ブーツ２４によって、光の伝送損失が低減され、若しくは光ファイバ自体が保護される。
【００３０】
フローティング機構２５は、フェルール２２を後退可能に前側へ押圧するための機構である。フローティング機構２５は、ピンクランプ２６と、スプリング２７と、スプリングプッシュ２８とを備えている。
【００３１】
ピンクランプ２６は、ガイドピン２３をクランプして保持するものである。ガイドピン２３のフランジがフェルール２２の後側端面とピンクランプ２６の前側端面との間に挟まれて配置されており、ガイドピン２３が前後方向に抜けることが防止されている。
【００３２】
スプリング２７は、当該スプリング２７の反発力によって、ピンクランプ２６を介してフェルール２２に前側への力を付勢する。フェルール２２の後側には、外周を突出させた鍔部２２Ｂが形成されており、鍔部２２Ｂの前側端面がハウジング１０の内面に形成された突起部１５（図２参照）に接触することによって、それ以上のフェルール２２の前側への移動が規制されている（フェルール２２の前抜けが規制されている）。
【００３３】
スプリングプッシュ２８は、スプリング２７を弾性変形（圧縮）させた状態でハウジング１０に収容するための部材である。これにより、フェルール２２は、スプリング２７の反発力で前側に力を付勢されつつ、後側に移動可能にハウジング１０内に収容される。このようにフェルール２２を収容することによって、プラグ側光コネクタ１００を接続したときに、フェルールの端面同士を所定の力で物理的に突き当てた状態を保持できる。
【００３４】
また、スプリングプッシュ２８は、枠状本体２８Ａと、一対の嵌合用突壁部２８Ｂとを備えている。枠状本体２８Ａには、光ファイバを挿通するためのファイバ挿通孔が形成されている。一対の嵌合用突壁部２８Ｂは、枠状本体２８Ａの左右両側から前側に向かって突出して形成されている部位である。一対の嵌合用突壁部２８Ｂには、外側に突出した係止爪２８Ｃが形成されており、ハウジング１０の内面に形成された係止穴（不図示）に係止爪２８Ｃを嵌め込むことによって、スプリングプッシュ２８がハウジング１０に固定される。このとき、スプリング２７は、ピンクランプ２６とスプリングプッシュ２８の間で圧縮変形した状態で収容されているが、係止爪２８Ｃがハウジング１０の係止穴に嵌め込まれることによって、スプリングプッシュ２８がハウジング１０の後側から抜けることが防止されている。
【００３５】
シャッター３０は、ハウジング１０にプラグ側光コネクタ１００が収容されていないときに、光による目への害を抑制するため、レセプタクル側光コネクタ２０の光ファイバから出射される光信号を遮蔽・反射させるものである（アイセーフティ）。また、シャッター３０は、プラグ側光コネクタ１００の着脱に応じて開閉する機能を有している。さらに、シャッター３０は、プラグ側光コネクタ１００が無いとき（ハウジング１０に収容されていないとき）に、レセプタクル側光コネクタ２０を防塵する機能も有している。
【００３６】
シャッター３０は、金属製であり、反射部３２と、変形部３３と、固定部３４とを備えている。シャッター３０は、変形部３２で折れ曲がったＶ字形状の部材である。
【００３７】
反射部３２は、レセプタクル側光コネクタ２０の光ファイバから出射される光信号を所定方向に向けて反射させるものである。本実施形態では、反射部３２は、吸収プレート４０の下面（吸収面４２）に向けて光信号を反射させる。なお、反射部３２の後側の面が光信号を反射する反射面となる。反射部３２の前側の面は、プラグ側光コネクタ１００がハウジング１０に挿入されたときに、プラグ側光コネクタ１００と接触する接触面となる。
【００３８】
変形部３３は、反射部３２と固定部３４とを連結しており、変形（弾性変形）することにより、反射部３２の開閉を許容する。変形部３３は、プラグ側コネクタ１００の装着時、及び、抜去時に変形する。具体的には、変形部３３は、プラグ側コネクタ１００の装着時には反射部３２が開くように（上方に向かうように）変形し、プラグ側コネクタ１００の抜去時には、反射部３２が閉じるように（下方に向かうように）変形する。
【００３９】
固定部３４は、反射部３２を吸収プレート４０に固定させるものである。図３に示すように、固定部３４は、係合穴３４Ａと縁部３４Ｂとを有している。
【００４０】
係合穴３４Ａは、吸収プレート４０の係止部４４Ａと係合する部位である。係合穴３４Ａと係止部４４Ａとが係合することにより、シャッター３０（反射部３２）が吸収プレート４０に対して固定されることになる。
【００４１】
縁部３４Ｂは、固定部３４の左右方向の縁の部位であり、吸収プレート４０の把持部４４Ｂに把持される部位である。
【００４２】
吸収プレート４０は、シャッター３０の反射部３２で反射された反射光が照射されて、当該反射光を吸収するものである。このように反射光を吸収することにより、ハウジング１０が反射光で溶けてしまうことを抑制することができる。また、吸収プレート４０は、シャッター３０の固定部３４を固定する機能も備えている。
【００４３】
吸収プレート４０は、耐熱性樹脂（ポリエーテルイミド樹脂、例えばSABIC社製  Ultem 1000R）で形成されており、ハウジング１０よりも耐熱性が高い。
【００４４】
また、本実施形態の吸収プレート４０の色は青色である。これは、適度に反射光を吸収させるためである。仮に、黒色の場合、反射光を吸収しすぎてしまい、吸収プレート４０が溶けるおそれがある。なお、目立ちやすい青色を隠すため、メタルクリップ１８で吸収プレート４０（ラッチ部４６）を隠している。
【００４５】
吸収プレート４０は、吸収面４２と、収容部４４と、ラッチ部４６とを備えている。
【００４６】
吸収面４２は、吸収プレート４０の下面であり、シャッター３０の反射部３２による反射光（光信号）が照射される面である。
【００４７】
収容部４４は、吸収プレート４０の上面に設けられており、シャッター３０の固定部３４を収容し、固定する機能を有する。本実施形態では、吸収プレート４０の上面に収容部４４が設けられているので、シャッター３０の固定部３４を覆うように吸収プレート４０を配置することができる。これにより、プラグ側光コネクタ１００の着脱の繰り替えしによって、変形部３３が徐々に変形し、反射光の照射位置がシャッター３０の反射部３２の根元に徐々に接近してきても、吸収プレート４０がシャッター３０の固定部３４を覆っているため、吸収プレート４０（吸収面４２）が反射光を吸収し続けられる。また、吸収プレート４０がシャッター３０の固定部３４を覆っているため、シャッター３０の固定部３４の長さを長くでき、シャッター３０を固定しやすくなる。
【００４８】
収容部４４は、係止部４４Ａと、把持部４４Ｂと、縁部４４Ｃとを有している。
【００４９】
係止部４４Ａは、シャッター３０の係合穴３４Ａと係合する部位である。また、係止部４４Ａは、シャッター３０の固定部３４を、吸収プレート４０の収容部４４に固定させる機能も有する。係止部４４Ａは、収容部４４において、上側に突出するように設けられている。
【００５０】
把持部４４Ｂは、シャッター３０の縁部３４Ｂを上下方向から挟んで把持する部位であり、縁部３４Ｂと嵌合する形状（凹形状）となっている。把持部４４Ｂは、シャッター３０の左右方向の両端の縁部３４Ｂに対応して、収容部４４の左右方向の両側に一対設けられている。また、把持部４４Ｂは前後方向に沿って設けられており、シャッター３０の固定部３４（縁部３４Ｂ）は、把持部４４Ｂに把持されつつ前後方向にスライド可能である。この把持部４４Ｂの上部（シャッター３０の縁部３４Ｂよりも上側の部位）の肉厚があるため、シャッター３０の固定部３４は、ハウジング１０の内壁面と非接触となる。これにより、吸収プレート４０の吸収面４２が高熱になったとき、ハウジング１０への伝熱を抑制しながら、シャッター３０にて放熱しやすくなる。
【００５１】
縁部４４Ｃは、吸収プレート４０の吸収面４２の左右方向の縁部分であり、ハウジング１０のレール部１４にスライドさせる部位である（図４Ｂ参照）。
【００５２】
ラッチ部４６は、ハウジング１０の係合穴１２に引っ掛かる部位である。また、ラッチ部４６は、係合穴１２に係合することにより、ハウジング１０に吸収プレート４０を固定させる。ラッチ部４６は吸収プレート４０の後端部において上側に突出するように（上側に凸状に）設けられている。
【００５３】
ハウジング１０のレール部１４は、プラグ側光コネクタ１００の収容部に設けられている（図２、図４Ｂ参照）。レール部１４は、吸収プレート４０の左右の縁部４４Ｃを前後方向に移動可能に上下方向から把持するものである。また、レール部１４には、シャッター３０の固定部３４を吸収プレート４０の収容部４４に収容した状態で、吸収プレート４０を取り付け可能である。このようにレール部１４を設けていることにより、ハウジング１０に対して吸収プレート４０が着脱可能になっている。これにより、吸収プレート４０が反射光によって劣化しても、劣化した吸収プレート４０を交換可能である。
【００５４】
なお、レール部１４は、ハウジング１０のキー溝とは反対側（上方）に配置している。これはキー溝の側ではハウジング１０の肉厚が薄いためである。
【００５５】
・組立方法
以下、光コネクタ部品１の組立方法（ハウジング１０へのシャッター３０と吸収プレート４０の取り付け方法）について説明する。
【００５６】
まず、シャッター３０を吸収プレート４０に固定する。すなわち、シャッター３０の縁部３４Ｂを吸収プレート４０の把持部４４Ｂにスライドさせる。スライドさせていくと、図４Ａに示すように、シャッター３０の係合穴３４Ａと吸収プレート４０の係止部４４Ａとが係合する。これにより、シャッター３０の固定部３４が、吸収プレート４０の収容部４４に固定される。換言すると、シャッター３０（反射部３２）が吸収プレート４０に固定される。
【００５７】
次に  シャッター３０を固定した吸収プレート４０をハウジング１０内に固定する。ここでは、吸収プレート４０の縁部４４Ｃをハウジング１０のレール部１４にスライドさせる（図４Ａ、図４Ｂ参照）。スライドさせていくと、吸収プレート４０のラッチ部４６が、ハウジング１０の係合穴１２に引っ掛かる（図２参照）。これにより、吸収プレート４０がハウジング１０に固定される。さらに、吸収プレート４０にはシャッター３０が固定されているので、シャッター３０がハウジング１０に対して固定される。
【００５８】
このように、本実施形態では、予め、シャッター３０を固定した吸収プレート４０をハウジング１０内に取り付けているので、狭いハウジング１０内での取り付け作業は１回で済む。
【００５９】
・光コネクタ部品１の動作
光コネクタ部品１のハウジング１０にプラグ側光コネクタ１００を挿入（収容）すると、シャッター３０にプラグ側光コネクタ１００のハウジングが接触する。これにより、シャッター３０の変形部３３が変形して、反射部３２が開く（上方に向かう）。そして、プラグ側光コネクタ１００とレセプタクル側光コネクタ２０の端面同士（光ファイバの端面同士）が接続（光接続）される。
【００６０】
ハウジング１０からプラグ側光コネクタ１００を抜き取ると、変形部３３が元に戻ろうとして、シャッター３０の反射部３２が閉じる（下方に向かう）。このため、レセプタクル側光コネクタ２０の光ファイバから出射される光信号は、反射部３２で反射されて、吸収プレート４０の吸収面４２に照射されるようになる。よって、光信号を遮蔽することができ、光信号による目への害を抑制することができる（アイセーフティ）。また、吸収プレート４０は、反射光を吸収し、且つ、ハウジング１０よりも耐熱性が高いので、反射光の照射によってハウジング１０が溶けてしまうことを抑制できる。
【００６１】
・実施例
第１実施形態の光コネクタ部品１を作成し、反射光による影響の評価を行った。比較例として、吸収プレート４０（耐熱性樹脂）が無いものを用いた。なお、比較例では、反射光はハウジングに照射される。
【００６２】
図５は、実施例の評価結果の説明図である。
評価結果では、ハウジングが溶けたものを×、溶け始めているものを△、溶けていないものを○で示している。
【００６３】
図に示すように、比較例ではすべての入射パワーに対してハウジングが溶けている。これに対し、実施例では、0.5Ｗ、1.0Ｗではハウジングが溶けておらず、1.5Ｗで溶け始めている。
【００６４】
このように、本実施例では反射光でハウジングが溶けるのを抑制できることが確認された。
【００６５】
以上、説明したように、本実施形態の光コネクタ部品１は、レセプタクル側光コネクタ２０（光伝送路の端部）を収容するハウジング１０と、光ファイバから出力される光信号を反射する反射部３２を有し、ハウジング１０内で開閉可能なシャッター３０と、ハウジング１０よりも耐熱性が高く、反射部３２に反射された反射光が照射される吸収プレート４０（吸収面４２）とを備えている。これにより、吸収プレート４０が反射光を吸収し、且つ、ハウジング１０よりも耐熱性が高いので、反射光の照射によってハウジング１０が溶けるのを抑制することができる。
【００６６】
また、シャッター３０は、反射部３２を開閉させる変形部３３と、反射部３２を固定する固定部３４とを有し、光吸収部材４０は、固定部３４を覆うように配置されている。これにより、プラグ側光コネクタ１００の着脱の繰り替えしによって、変形部３３が徐々に変形しても反射光を吸収し続けることができる。また、固定部３０の長さを長くできシャッター３０を固定しやすくできる。
【００６７】
＝＝＝第２実施形態＝＝＝
第２実施形態の光コネクタ部品は、アダプタである点が第１実施形態と異なっている。
【００６８】
図６は、第２実施形態の光コネクタ部品１´を示す説明図である。また、図７は、第２実施形態の光コネクタ部品１´へのシャッター３０及び吸収プレート４０の取り付けの説明図である。第２実施形態の光コネクタ部品１´は、両側から光コネクタを着脱可能な光コネクタ用アダプタである。
【００６９】
第２実施形態の光コネクタ部品１´のハウジング（アダプタ）１０´には、前後方向の両側に光コネクタ１００´（ＭＰＯコネクタ）を着脱可能に収容する収容部が設けられている。なお、光コネクタ１００´は、第１実施形態のプラグ側光コネクタ１００と同様のものである。また、第２実施形態の光コネクタ部品１´では、サイズの縮小を図るため、ハウジング１０´の収容部の構造が前側と後側で上下逆になっている。つまり、図６に示すように、一方の光コネクタ１００´と他方の光コネクタ１００´は、互いに上下逆向きにハウジング１０´に収容されることになる。
【００７０】
また、図７に示すように、ハウジング１０´の前側と後側のそれぞれの収容部には、シャッター３０及び吸収プレート４０が収容されている。ここでは、シャッター３０を固定した吸収プレート４０をハウジング１０´の各収容部に（上下逆向きに）取り付けている。但し、これには限られず、片方のみにシャッター３０及び吸収プレート４０を収容してもよい。この場合、ハウジング１０´の片方に光コネクタ１００´を収容するときには、シャッター３０によって光信号が遮蔽・反射される側の収容部に光コネクタ１００´を収容すればよい。
【００７１】
この第２実施形態においても、光コネクタ１００´から出射される光信号による目への害を抑制でき（アイセーフティ）、また、反射光が吸収プレート４０に照射されるので、反射光でハウジング１０´が溶けるのを抑制することができる。
【００７２】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００７３】
吸収プレート４０の材質や色は前述の実施形態には限られない。例えば、前述の実施形態では、吸収プレート４０の色は青色であったが、反射光を適度に吸収する色であればよい。例えば、赤色でもよい。
【符号の説明】
【００７４】
１  光コネクタ部品、１´  光コネクタ部品、
１０  ハウジング（レセプタクル）、１０´  ハウジング（アダプタ）、
１２  係合穴、１４  レール部、１８  メタルクリップ、
２０  レセプタクル側光コネクタ、２２  フェルール、
２２Ａ  本体部、２２Ｂ  鍔部、２２Ｃ  ガイド穴、２２Ｄ  光ファイバ穴、
２３  ガイドピン、２４  ブーツ、２５  フローティング機構、
２６  ピンクランプ、２７  スプリング、２８  スプリングプッシュ、
２８Ａ  枠状本体、２８Ｂ  嵌合用突壁部、２８Ｃ  係止爪、
３０  シャッター、３２  反射部、３３  変形部、３４固定部、
３４Ａ  係合穴、３４Ｂ  縁部、
４０  吸収プレート、４２  吸収面、
４４  収容部、４４Ａ  係止部、４４Ｂ  把持部、４４Ｃ  縁部、
４６  ラッチ部、
１００  プラグ側光コネクタ、１００´  光コネクタ
【図１】
0006588718.tif 000002
【図２】
0006588718.tif 000003
【図３】
0006588718.tif 000004
【図４】
0006588718.tif 000005
【図５】
0006588718.tif 000006
【図６】
0006588718.tif 000007
【図７】
0006588718.tif 000008